(57)【要約】      （修正有）【課題】安定して設置でき、分離して洗浄も可能なゴミ箱の構造を提供する。【解決手段】ゴミ箱の構造は、ゴミ箱１、環状蓋２、抜き取り箱３、底盤４により組成し、ゴミ箱１の形状は上が狭く下が広いタイプで、開口位置には外リング１２を設置し、外リング１２周縁には両側で相互に対応する持ち手１３を設置し、外リング１２の適当な位置にはミゾ１４を設置し、ゴミ箱１の本体両側には相互に対応する凹槽１５とペダル１６を設置する。組合せ時には、ゴミ箱１の外リング１２上には環状蓋２を嵌めて設置し、ゴミ箱１の下方には順番に抜き取り箱３と底盤４を結合する。ゴミ箱１の形状は上が狭く下が広いタイプで、しかも使用者はロール式のゴミ袋を、抜き取り箱３に入れ抜き出して使用することができる。【選択図】図２
0003166382.tif 000002
【実用新案登録請求の範囲】
【請求項１】
ゴミ箱、環状蓋、抜き取り箱、底盤により組成し、
前記ゴミ箱の形状は、上が狭く下が広いタイプで、開口位置には、外リングを設置し、前記外リング周縁には、両側で相互に対応する持ち手を設置し、しかも前記外リングの適当な位置には、ミゾを設置し、
前記ゴミ箱の本体両側には、相互に対応する凹槽を設置し、しかも前記凹槽の前記ゴミ箱底に近い部分には、それぞれペダルを設置し、
前記環状蓋は、前記ゴミ箱の外リングに対応する中空の環状体で、
前記抜き取り箱は、円形の蓋体で、その下方には、開口と相互に通じる収容設置箱を設置し、しかも前記収容設置箱の開口と通じる面には、抜き取り口を開設し、
前記底盤は、円盤体で、
組合せ時には、前記ゴミ箱の外リング上に、前記環状蓋を嵌めて設置し、前記抜き取り箱の開口を設置する側を、前記ゴミ箱の下方から上方へと入れ、これにより前記抜き取り箱の抜き取り口は、前記ゴミ箱内に向かい、最後に、前記底盤と前記ゴミ箱底部を結合させて形成することを特徴とするゴミ箱の構造。
【請求項２】
前記底盤の表面の適当な位置には、文字を標示することを特徴とする請求項１に記載のゴミ箱の構造。
【考案の詳細な説明】
【技術分野】
【０００１】
本考案はゴミ箱の構造に関し、特にゴミ袋を便利に取り出して使用でき、ゴミ箱の重心が不安定になり倒れることを防止でき、各部品を便利に分離して洗浄が可能なゴミ箱の構造に関する。
【背景技術】
【０００２】
市場で見られるゴミ箱構造の多くは、各種さまざまな形状のバケツ体構造である。
衛生に対する要求とゴミ処理の利便性のため、使用者のほとんどはゴミ袋をゴミ箱内に嵌めて設置し、使用している。
ゴミ袋がいっぱいになると、ゴミ箱からゴミ袋を取り出し、新しいゴミ袋に交換する。
【０００３】
しかし、上記したゴミ箱構造はそのまま長く使用されているが、使用時には以下のような欠点が存在する。
1．従来のゴミ箱の全体的な形状は、下方が狭く上方が広いタイプだが、これはゴミ箱の重心を不安定にしており、そのため衝突されるとゴミ箱は倒れ易い。
2．従来のゴミ箱は、ゴミ袋がいっぱいになると、たくさん詰め過ぎたことで袋を縛るための余裕がなくなり、新たなゴミ袋に交換しなければならないという面倒がしばしば起きている。
3．従来のゴミ箱において、もしゴミ袋をきちんと嵌めて設置していなければ、ゴミ袋は脱落してゴミ箱に入ってしまい、衛生上及び清掃片付け上の面倒を引き起こす。
本考案は、従来のゴミ箱の構造の上記した欠点に鑑みてなされたものである。
【考案の概要】
【考案が解決しようとする課題】
【０００４】
本考案が解決しようとする第一の課題は、ゴミ箱内に抜き取り箱を設置し、ロール式のゴミ袋を収容設置することで、使用時には、抜き取る方式でゴミ袋を交換することができ、ゴミ袋を探す面倒を省くことができるゴミ箱の構造を提供することである。
本考案が解決しようとする第二の課題は、ゴミ箱の全体的な形状は上が狭くしたが広いタイプであるため、ゴミ箱はより安定し、倒れることを回避可能なゴミ箱の構造を提供することである。
本考案が解決しようとする第三の課題は、ゴミ箱の両側には凹槽を対応させて設置し、これによりゴミ箱がいっぱいになると、使用者は両足で凹槽位置に設置するペダルを踏み、簡単にゴミ袋を引き出すことができるゴミ箱の構造を提供することである。
本考案が解決しようとする第四の課題は、ゴミ箱の開口位置には、環状蓋を設置し、それにより余分なゴミ袋の袋体を遮蔽し、ゴミ袋の縛るための空間を残すことができるゴミ箱の構造を提供することである。
本考案が解決しようとする第五の課題は、ゴミ箱開口位置の外リング上には、２ヶ所に持ち手を設置し、これにより使用者は便利にゴミ箱を持ち上げることができ、余分な袋体を収納できるゴミ箱の構造を提供することである。
本考案が解決しようとする第六の課題は、ゴミ箱開口位置の外リング上には、１ヵ所のミゾを設置し、ゴミ袋辺縁の1ヵ所を一時的にミゾ内に嵌め、ゴミ袋のゴミ箱内への落下を回避することができるゴミ箱の構造を提供することである。
本考案が解決しようとする第七の課題は、底盤、環状蓋、ゴミ箱、抜き取り箱はすべて分離できるため、使用者は便利に洗浄を行うことができ、洗浄時間と水及び洗剤の使用量を節減できるゴミ箱の構造を提供することである。
【課題を解決するための手段】
【０００５】
上記課題を解決するため、本考案は下記のゴミ箱の構造を提供する。
ゴミ箱の構造は、ゴミ箱、環状蓋、抜き取り箱、底盤により組成し、
該ゴミ箱の形状は、上が狭く下が広いタイプで、開口位置には、外リングを設置し、該外リング周縁には、両側で相互に対応する持ち手を設置し、該外リングの適当な位置には、ミゾを設置し、
該ゴミ箱の本体両側には、相互に対応する凹槽とペダルを設置し、
組合せ時には、該ゴミ箱の外リング上には、環状蓋を嵌めて設置し、該ゴミ箱の下方には、順番に抜き取り箱と底盤を結合し、
該ゴミ箱の形状は、上が狭く下が広いタイプで、しかも使用者はロール式のゴミ袋を、該抜き取り箱に入れ、抜き出して使用することができ、
さらに、各パーツは便利に分離して洗浄が可能で、
これにより、使用者がゴミ袋を探す面倒を省き、ゴミ袋を便利に取り出して使用でき、ゴミ箱の重心が不安定で倒れることを回避でき、洗浄時間と水及び洗剤の使用量を節減することができる。
【考案の効果】
【０００６】
本考案のゴミ箱の構造は、ゴミ袋を便利に取り出して使用でき、ゴミ箱の重心が不安定で倒れることを防止でき、各パーツを分離して洗浄することができる。
【図面の簡単な説明】
【０００７】
【図１】本考案実施例の立体組合せ図である。
【図２】本考案実施例の立体分解図(一)である。
【図３】本考案実施例の立体分解図(二)である。
【図４】本考案実施例の断面表示図(一)である。
【図５】本考案実施例の断面表示図(二)である。
【図６】本考案実施例の解体表示図(一)である。
【図７】本考案実施例の解体表示図(二)である。
【考案を実施するための形態】
【０００８】
以下に図面を参照しながら本考案を実施するための最良の形態について詳細に説明する。
【０００９】
本考案実施例の立体組合せ図、立体分解図(一)、立体分解図(二)である図１、２、３に示すように、本考案ゴミ箱の構造は、ゴミ箱１、環状蓋２、抜き取り箱３、底盤４を備える。
【００１０】
ゴミ箱１の形状は、上が狭く下が広いタイプで、収容設置空間１１を設置する。
開口位置には、外リング１２を設置し、外リング１２周縁には、相互に対応する２個の持ち手１３を設置し、外リング１２の適当な位置には、ミゾ１４を設置する。
ゴミ箱１の本体両側には、凹槽１５を対応させてそれぞれ設置し、しかも凹槽１５のゴミ箱１底に近い部分には、それぞれペダル１６を設置する。
しかも、ペダル１６下方の適当な位置には、嵌合部１６１と固定部１６２をそれぞれ設置する。
【００１１】
環状蓋２は、ゴミ箱１外リング１２に対応した中空の環状体である。
環状蓋２内縁は、湾曲した環状の結合部２１である。
【００１２】
抜き取り箱３は、円形の蓋体で、その開口３１両側には、相互に対応する凹口３１１を設置する。
抜き取り箱３外縁の適当な位置には、区画板３２を環状に設置し、しかも外縁には、凹口３１１と交差方向に、相互に対応する２個の平面３３を設置する。
抜き取り箱３下方には、開口３１と通じる収容設置箱３４を設置する。
収容設置箱３４は、開口３１の通じる面に、抜き取り口３４１を開設する。
【００１３】
底盤４は、円盤体で、片側面には、適当な深さの相互に相対する２個の凹部４１を設置する。
反対側面の、凹部４１と対応する近接の縁位置には、嵌合部４２を設置し、辺縁位置には、定位部４３を設置する。
凹部４１を設置する側面の適当な位置には、文字を標示する。
【００１４】
本考案実施例の断面表示図(一)、断面表示図(二)、解体表示図(一)、解体表示図(二)である図４、５、６、７に示すように、組合せ時には、抜き取り箱３の、開口３１を設置する側を、ゴミ箱１の下方から上方へと入れる。
これにより、抜き取り箱３に設置する相互に対応する２個の平面３３とゴミ箱１の相互に対応する２個の凹槽１５とは、方向が対応する。
さらに、底盤４の深さがある凹部４１と抜き取り箱３の両側を相互に対応させた後、入れる。
これにより、ゴミ箱１は、ペダル１６の嵌合部１６１に設置され、底盤４の嵌合部４２と相互に嵌合する(図４参照)。
底盤４をある方向へ回転させると、ゴミ箱１の、ペダル１６外縁に設置する固定部１６２は、底盤４の定位部４３と相互に対応する。
これにより、ゴミ箱１全体と底盤４とは嵌合して固定される(図６、７参照)。
最後に、環状蓋２を結合部２１により、ゴミ箱１の外リング１２上に嵌める。
【００１５】
本考案実施例の立体組合せ図、立体分解図(一)、断面表示図(一)である図１、２、４に示すように、使用者がゴミ袋を探す面倒を省き、ゴミ袋を便利に取り出して使用できるようにするため、先ずロール式ゴミ袋を抜き取り箱３に入れる。
さらに、抜き取り口３４１からゴミ袋を引き出し、使用のために広げ、次にゴミ袋の口を、ゴミ箱１外リング１２に沿わせて設置後、ゴミ袋辺縁の一箇所を、外リング１２上のミゾ１４内に一時的に止め、ゴミ袋がゴミ箱１に落下しないようにする。
次に、環状蓋２を、結合部２１により、ゴミ箱１の外リング１２上に嵌めて設置し、ゴミ袋を固定し、また余分な袋を隠し、ゴミ袋を縛るための空間を残す。
【００１６】
ゴミ箱１の全体の形状は、上が狭くて下が広いタイプであるため、ゴミ箱１はより安定し、ゴミ箱１に不注意でぶつかった時、その重心が不安定であるため、ゴミ箱１が倒れ、ゴミが飛び出すという状況の発生を防止することができる。
ゴミ袋がいっぱいになり、取り出し、交換する必要がある時には、使用者は、両足で凹槽１５位置に設置するペダル１６上を踏む。
これで、簡単にゴミ袋を取り出し交換することができる。
使用者がゴミ箱１を持ち上げる時には、環状蓋２とゴミ箱１とを分ければ、ゴミ箱１外リング１２上に設置する持ち手１３により、使用者はゴミ箱１を持ち上げ、ゴミ袋の余分な袋体を収容することができる。
【００１７】
ゴミ箱１を洗浄する際には、ゴミ箱１、環状蓋２、抜き取り箱３、底盤４をそれぞれ分離することができる。
これにより、各パーツをそれぞれ分離して洗浄でき、洗浄の時間を節減し、水と洗剤の使用量を抑える目的を達成することができる。
【００１８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１  ゴミ箱
１１  収容設置空間
１２  外リング
１３  持ち手
１４  ミゾ
１５  凹槽
１６  ペダル
１６１  嵌合部
１６２  固定部
２  環状蓋
２１  結合部
３  抜き取り箱
３１  開口
３１１  凹口
３２  区画板
３３  平面
３４  収容設置箱
３４１  抜き取り口
４  底盤
４１  凹部
４２  嵌合部
４３  定位部  
【図１】
0003166382.tif 000003
【図２】
0003166382.tif 000004
【図３】
0003166382.tif 000005
【図４】
0003166382.tif 000006
【図５】
0003166382.tif 000007
【図６】
0003166382.tif 000008
【図７】
0003166382.tif 000009